(57)【要約】      （修正有）【課題】多重露光撮影のように、複数の画像を重ねて表示する際にも、撮影者に違和感を与えないファインダ光学系を提供する。【解決手段】被写体像を観察するための光学ファインダ１２０と、被写体像を撮像する撮像手段１０６と、焦点検出手段１１９と、光学ファインダ１２０を構成する接眼レンズ１２１の光路に配置された光路変更手段１２６によって曲げられた光路上に配置され、撮像画像を表示する電子ビューファインダ１２４と、を備える。撮影画像の全範囲を電子ビューファインダ１２４にて表示する第１の表示モードと、撮影画像を画像処理にて光学ファインダ１２０の光学倍率に一致するように拡大して電子ビューファインダ１２４に表示する第２の表示モードを有し、光学ファインダ１２０による被写体の観察像と、第２の表示モードによる撮影画像を同倍率で重畳表示するモードを備える。【選択図】図１
2015233256.tif 000002
【特許請求の範囲】
【請求項１】
撮影レンズに（１０５）よって結像された被写体像を観察するための光学ファインダ１２０）と、
前記撮影レンズ（１０５）によって結像された被写体像を撮像する撮像手段（１０６）と、
焦点検出手段（１１９）と、
前記光学ファインダ（１２０）を構成する接眼レンズ（１２１）の光路に配置された光路変更手段（１２６）によって曲げられた光路上に配置され、且つ前記撮像手段にて得られた撮像画像を表示する電子ビューファインダ（１２４）と、
を備え、
前記撮像手段（１０６）で得られた撮影画像の全範囲を前記電子ビューファインダ（１２４）にて表示する第１の表示モードと、前記撮像手段（１０６）で得られた撮影画像を画像処理にて前記光学ファインダ（１２０）の光学倍率に一致するように拡大して前記電子ビューファインダ（１２４）に表示する第２の表示モードを有し、
前記光学ファインダ（１２０）による被写体の観察像と、前記第２の表示モードによる撮影画像を同倍率で重畳表示するモードを備えること
を特徴とする撮影装置。
【請求項２】
前記光学ファインダ（１２０）の光学倍率は、前記電子ビューファインダ（１２４）の光学倍率より大きいことを特徴とする請求項１に記載の撮影装置。
【請求項３】
前記光学ファインダ（１２０）と、前記第１の表示モードを重畳表示するモードを備え、第１の表示モードには撮影情報を表示することを特徴とする請求項１に記載の撮影装置。
【発明の詳細な説明】
【技術分野】
【０００１】
本発明は、電子機器のファインダに関するものであり、特に、光学ファインダと電子ビューファインダの２つのファインダ機能を有し、光学ファインダと電子ビューファインダの両方を撮影者が同時に視認可能である一眼レフカメラに関するものである。
【背景技術】
【０００２】
近年では、一眼レフカメラタイプのカメラにおいても、撮像素子の連続的な撮影画像を外部表示部（ディスプレイ）に表示する、いわゆるライブビュー表示による静止画撮影、さらには動画撮影が可能となっている。その際、一眼レフカメラの光学ファインダに被写体光を導く主ミラーが撮影光路外に退避してしまうために、カメラの撮影者は光学ファインダ像を視認できなくなり、代わりにカメラ背面に配置された外部表示部で被写界像を見ることになる。
【０００３】
しかしながら、光学ファインダと外部表示部でカメラを覗く姿勢が変わるのは煩わしい上、外部表示部を見ながらの一眼レフカメラの撮影は、カメラを保持する腕の脇をしめることが難しく、手振れを起し易い不安定な姿勢となる。とりわけ、三脚を使用しない手持ちでの望遠レンズ撮影は、非実用的なものであった。
【０００４】
この問題に対し、従来、光学ファインダと電子ビューファインダの切り替えを可能とするカメラの提案がなされている。光学ファインダと電子ビューファインダとが同じ光路において切り替えが可能となれば、電子ビューファインダを使用するライブビュー表示撮影、さらには動画撮影においてもカメラのファインダを覗く撮影者の姿勢は、通常の光学ファインダを用いた状態と変わらない。そのためカメラを理想的な構えで保持し、撮影を行うことが可能となる。
【０００５】
光学ファインダと電子ビューファインダの両方を、カメラの撮影者が観察可能とする構成として最も現実的な手段は、光学ファインダの一部材であるペンタプリズムの射出面と接眼レンズとの間にハーフミラー（ハーフプリズム）を配置し、光学ファインダの光路途中から電子ビューファインダの表示光路を導入するものが考えられる。また、ハーフミラー面の反射だけではなく、２つの光路を合成するプリズムに全反射面を設定すると、ファインダ光学系の光量、つまりは撮影被写体像の明るさが低下しないという利点がある。
【０００６】
しかしながら、プリズムのような光路合成部材を光学ファインダの光路中に設けることは、ファインダ光学系の接眼レンズの位置が物体面（この場合、焦点検出板）から遠ざかるためにファインダ倍率は低下する傾向となる。従って、光学ファインダとしての倍率を維持するために、光路合成部材を光学ファインダの光軸方向において、極力薄くする必要がある。
【０００７】
その一方では、光路合成部材を薄くすると、電子ビューファインダの光路がそれだけ狭くなってしまい、撮影表示範囲（ディスプレイ画面全体）を全て観察できるように光路設計を行うと、結果的に電子ビューファインダのファインダ倍率を小さくせざるを得ないことになる。
【０００８】
例えば、光学ファインダの観察時には、被写体人物の顔の表情を認識できたのに、電子ビューファインダに切換えたとき、ファインダ倍率が下がるために被写体が小さくなってしまい、人物の表情が良く分らなくなるといったように撮影に不都合なことも発生する。
【０００９】
この問題に対して、特許文献１では、撮影画像の全範囲を電子ビューファインダにて表示する第１の表示モードと、撮影画像を画像処理にて光学ファインダの光学倍率に一致するように拡大して電子ビューファインダに表示する第２の表示モードを有するファインダ光学系が提案されている。第１と第２の表示モードを切り替えることで、撮影者に与える違和感を軽減することが可能なファインダ光学系となる。
【先行技術文献】
【特許文献】
【００１０】
【特許文献１】特開２０１３−１６８８００号公報
【発明の概要】
【発明が解決しようとする課題】
【００１１】
しかしながら、上述の特許文献に開示された従来技術は、撮影済み画像を表示する際、第１の表示モードで表示する。このため、例えば多重露光撮影のように、撮影済みの画像を電子ビューファインダにてプレビューしながら、これから撮影する被写体を光学ファインダで観察することができない。また、電子ビューファインダによる第１の表示モードと、光学ファインダをそのまま重畳表示すると、後述する図４（ｂ）のように被写体の大きさにずれが生じ、撮影者に違和感を与えてしまう。
【００１２】
そこで、本発明の目的は、多重露光撮影のように、ファインダ内に撮影済み画像と、これから撮影する画像の両方を重畳表示する際にも、撮影者に与える違和感を軽減することが可能なファインダ光学系を提供することである。
【課題を解決するための手段】
【００１３】
上記目的を達成するために、本発明に係る撮影装置の構成は、
撮影レンズに（１０５）よって結像された被写体像を観察するための光学ファインダ１２０）と、
前記撮影レンズ（１０５）によって結像された被写体像を撮像する撮像手段（１０６）と、
焦点検出手段（１１９）と、
前記光学ファインダ（１２０）を構成する接眼レンズ（１２１）の光路に配置された光路変更手段（１２６）によって曲げられた光路上に配置され、且つ前記撮像手段にて得られた撮像画像を表示する電子ビューファインダ（１２４）と、
を備え、
前記撮像手段（１０６）で得られた撮影画像の全範囲を前記電子ビューファインダ（１２４）にて表示する第１の表示モードと、前記撮像手段（１０６）で得られた撮影画像を画像処理にて前記光学ファインダ（１２０）の光学倍率に一致するように拡大して前記電子ビューファインダ（１２４）に表示する第２の表示モードを有し、
前記光学ファインダ（１２０）による被写体の観察像と、前記第２の表示モードによる撮影画像を同倍率で重畳表示するモードを備えること
を特徴とする。
【発明の効果】
【００１４】
本発明によれば、多重露光撮影など、複数の画像を重ねて撮影を行う際、撮像済み画像を確認しながら次の撮影の構図を決めることが可能となり、撮影者に対して違和感のないファインダ光学系を提供することができる。
【図面の簡単な説明】
【００１５】
【図１】本実施形における、カメラの構成を示す概略図である。
【図２】本実施形における、ファインダ表示設定のフローチャートを示す図である。
【図３】本実施形における、電子ビューファインダの表示例を示す図である。
【図４】本実施形における、光学ファインダと電子ビューファインダの重畳表示を示す図である。
【図５】本実施形における、カメラの電気ブロック図である。
【発明を実施するための形態】
【００１６】
以下に、本発明の好ましい実施の形態を図１から図５に基づいて詳細に説明する。なお、図１〜図５において、同一の要素部品には同じ番号がふってある。
【実施例】
【００１７】
図１は、本発明を適用した撮影装置としてのデジタル式一眼レフカメラの概略構成を示す図である。図１において、１０１はＣＰＵ（中央演算処理装置）であり、本カメラの動作は、このＣＰＵ１０１により制御される。１０５は撮影レンズであり、被写体光を撮像素子（撮像手段）であるＣＣＤ１０６上に結像させている。なお、図１に書かれた撮影レンズ１０５は、便宜的に１枚のレンズ１０５ａで表現しているが、実際には複数のレンズから成り立っている。
【００１８】
１２０は、撮影レンズ１０５のＣＣＤ１０６結像面と等価の結像面（一次結像面）に置かれた焦点検出板（以降、ピント板と称する）であり、被写体像は主ミラー１２３で反射され、ピント板１２０上に一次結像する。撮影者は、この被写体像をペンタプリズム１２８、さらには接眼レンズ群１２１を通じて見ることができる、いわゆるＴＴＬ方式の光学ファインダ構成となっている。一方、主ミラー１２３は、半透過ミラーとなっており、主ミラー１２３を透過した一部の光束は、サブミラー１２２を通じて焦点検出手段である焦点検出ユニット１１９に導かれ、周知の位相差検出方式の焦点検出動作を行う。焦点検出手段は、撮影画面の複数の領域について焦点検出が可能となっている。
【００１９】
１３０は、縦横２００×３００画素のＣＣＤからなる測光センサであり、測光レンズ１２９によってピント板１２０に結像した被写体像を複数の領域に分けた各々の輝度、色を検出することが可能となっている。また、測光センサ１３０の出力を用いてＣＰＵ１０１は顔認識、および色認識から被写体が人物か否かの判定を行うことができる。また、この測光センサ１３０も撮像手段と言うことができる。
【００２０】
撮影者がレリーズスイッチ（不図示）を押すと、主ミラー１２６は撮影レンズ１０５の光路外に退避する。一方、撮影レンズ１０５によって集光された被写体光はフォーカルプレーンシャッタ１３３にてその光量制御がなされ、ＣＣＤ（撮像素子）１０６によって被写体像として光電変換処理表示される。それらが撮影済み画像として記録メディアに記録されるとともに、ＴＦＴ方式ディスプレイの外部表示部１１３に撮影画像の表示がなされる。これが通常の静止画撮影であるが、本カメラはそれ以外にライブビュー撮影、動画撮影も可能となっている。
【００２１】
ライブビュー撮影とは、主ミラー１２３を撮影光路から退避させ、シャッタ１３３を開放状態で、ＣＣＤ１０６が連続的に撮像を行う。その画像をカメラ背面部にある外部表示部１１３、あるいは電子ビューファインダの小型ＴＦＴ方式ディスプレイである内部表示部（表示手段）１２４のいずれか、あるいは両方において連続して画像表示を行い、この表示を観察しながら撮影者は任意のタイミングで静止画撮影を行うものである。さらには、ライブビュー撮影状態から任意のタイミングで動画フォーマットへの変換、記録を行うのが動画撮影である。
【００２２】
次に、電子ビューファインダ（ＥＶＦ）に関する光学構成について、以下の説明を行う。光学ファインダ（ＯＶＦ）を備えた一般的な一眼レフカメラでは、前述のように撮影時に主ミラー１２３が撮影レンズ１０５の光路外に退避すると光学ファインダは真っ暗になり、被写体を見ることができなくなる。これに対して、本実施例の撮影装置では、光学ファインダ光路の途中に電子ビューファインダを配置しているので、主ミラー１２３が撮影光路外に退避しても被写体像の確認が可能となっている。つまり、光学ファインダを覗くのと同じファインダ光学系の中で被写体観察を行うことができ、ライブビュー撮影を可能にしている。
【００２３】
図１において、１２６、１２７は、それぞれ表示プリズム１、表示プリズム２である。表示プリズム１と表示プリズム２は、その間に薄い空気層を伴った状態で保持がなされている。表示プリズム１の一方の面１２６ｂはペンタプリズム１２８に接合されており、接合面１２６ｂはハーフミラーになっている。内部表示部１２４に表示された画像は、表示プリズム１の表示プリズム２に対抗する面１２６ａにて全反射し、ペンタプリズム１２８へ接合されているハーフミラー面１２６ｂにてその一部の光が反射し、撮影者の眼に入射する。
【００２４】
ここで、ハーフミラー面１２６ｂは、光学ファインダの光量減を実用上最小限としたいので、透過率が８０％前後、内部表示部１２４の光は２０％反射（８０％減衰）前後になるように設定されている。電子ビューファインダの光量減衰分は、内部表示部１２４であるＴＦＴバックライト輝度を明るくすることで、光学ファインダと電子ビューファインダの光量バランスをとっている。
【００２５】
光学ファインダは、撮影レンズ１０５によってピント板１２０に投影された被写体像を接眼レンズ群１２１で拡大して見るものである。一方、電子ビューファインダの場合、接眼レンズ群１２１は光学ファインダと共用しており、該接眼レンズ群１２１からピント板までの光路長よりも短い光路長位置に配置された内部表示部１２４の視度をピント板１２０と一致させるためにＥＶＦレンズ１２５が配置されている。
【００２６】
以上の構成により、本カメラの撮影者は、通常の静止画撮影時には通常の光学ファインダにて被写体の観察を行うが、ライブビュー撮影、あるいは動画撮影時においても、光学ファインダを覗いていた同じ姿勢のままに、内部表示部１２４による表示、いわゆる電子ビューファインダを用いた被写体観察が可能となっている。
【００２７】
また、光路変更手段としての主ミラー１２３が撮影光路内に位置している場合、つまり、静止画撮影状態で光学式ファインダが有効になっている場合でも、内部表示部１２４に焦点検出領域や、電池残量、ＩＳＯ感度値などの情報をキャラクタ、あるいは数字で表示する。こうすることで撮影被写体の光学像に重畳させてスーパーインポーズ表示を行うことが可能である。
【００２８】
さらに、スーパーインポーズ表示以外にも、光学ファインダと電子ビューファインダを重畳表示させる場合、電子ビューファインダに撮影済み画像を表示させることも可能である。これにより、例えば多重露光撮影のように複数の画像を重ねる撮影時に、ファインダを覗いたままの姿勢を崩すことなく撮影が可能となる。
【００２９】
以上、光学ファインダと電子ビューファインダを両立させた光学系の説明を行ってきたが、本構成を採用すると光学ファインダとしては性能上不利になる面もある。表示プリズム１、２は、光学ファインダにとって本来不要であり、それらがファインダ光路中に挿入されることで接眼レンズ１２１群がピント板１２０から遠ざかることになり、視野角、倍率、視野率といった光学ファインダの性能が低下する要因となっているからである。そこで、優先度の高い光学ファインダの性能を維持するために、光学ファインダの光路が横切る表示プリズム１、２の厚みは必要最低限とするのが望ましい。
【００３０】
ここで、図３（ａ）〜図３（ｃ）を用いて本実施形におけるＥＶＦ表示モードについて説明する。図３（ａ）はカメラの主ミラー１２３が撮影光路内に静止している撮影待機状態にあり、光学ファインダにて撮影者が見ることのできる被写体像を示している。ここで、被写体像の内部の複数の四角い枠は、被写体に対し撮影レンズ１０５が合焦状態にある焦点検出領域を示しており、内部表示部１２４にて表示された四角い枠のキャラクタが光学ファインダ被写体像と重畳されて見えている。また、この光学ファインダの光学的な仕様は、焦点距離５０ｍｍの撮影レンズ１０５をカメラに装着した際のファインダ倍率が１．０倍であり、撮影領域とファインダで視認可能な被写体領域との比率を意味するいわゆる視野率が１００％となっている。
【００３１】
図３（ｂ）は、光学ファインダから電子ビューファインダに切替った際に見ることのできる被写体像を示しており、その被写体像は、ＣＣＤ１０６にて撮像された被写体像が光電変換され、画像処理を経て、内部表示部１２４によって表示された電子画像となっている。この時の電子ビューファインダの仕様は、ファインダ倍率が０．８倍、視野率１００％である。
【００３２】
ここで、電子ビューファインダの像倍率が光学ファインダよりも低いのは、前述したように光学ファインダ性能を優先させたことと、カメラ外形の大型化を防ぐために、内部表示部１２４に小型ディスプレイ（例えば０．５インチパネルサイズ）を採用したことによるものである。内部表示部１２４が小型になった時点で、光学ファインダと共用している接眼レンズ１２１群はそのパワー（拡大率）が不足し、表示パネル全面を視認できる（視野率１００％に同義）ようにＥＶＦファインダ光学系を設計するとＥＶＦのファインダ倍率が下がらざるを得ないのである。このときのＥＶＦ表示形態をＥＶＦ表示モード１（第１の表示モード）とする。
【００３３】
一方、図３（ｃ）は、同じ内部表示部１２４に光学ファインダと同じ倍率１．０倍（図３（ｂ）の像倍率の１．２５倍）に電子ズームした画像を表示したものである。この場合、図内の点線が本来ＣＣＤ１０６に投影された被写体像の範囲であり、撮影はなされるがファインダ表示はできない領域であり、この場合、視野率は１００÷１．２５の８０％となる。この時の表示形態をＥＶＦ表示モード２（第２の表示モード）とする。
【００３４】
以下、本実施形のカメラにおいて、多重露光撮影を行う場合のシーケンスを、図２のフローチャートと、実際の多重露光時のファインダ内表示を示す図４とを用いながら説明する。
【００３５】
図２のステップＳ３００において、カメラの設定を多重露光モードに設定し、図４（ａ）の被写体２０が右に移動する様を撮影する。ステップＳ３０１において、不図示のレリーズＳＷが押下され、ステップＳ３０２にて撮影が行われる。このとき、ＥＶＦ表示モード１による撮影済みの画像である図４（ｂ）２０１、２０２と、光学ファインダによるこれから撮影する被写体である図４（ｂ）２０３を重畳表示することで、撮影済み画像を確認しながらの撮影が可能となる。しかしながら、電子ビューファインダの像倍率は光学ファインダよりも低く、図４（ｂ）では撮影済みの被写体２０１、２０２と、これから撮影する被写体２０３の大きさにずれが生じ、撮影者に違和感を与えてしまう。
【００３６】
本実施形では、ステップＳ３０３において、ＥＶＦ表示モード２による撮影済みの画像である図４（ｃ）２０１、２０２と、光学ファインダによるこれから撮影する被写体である図４（ｃ）２０３が重畳表示される。ＥＶＦ表示モード２と光学ファインダ表示を重畳表示する場合、ＥＶＦ表示モード２は視野率が下がるが、光学ファインダと電子ビューファインダの倍率が同一となる。図４（ｃ）のように電子ビューファインダで表示する撮影済みの被写体２０１、２０２と、光学ファインダで表示するこれから撮影する被写体２０３を重畳表示することで、ファインダ表示における被写体像の大きさにずれが生じないため、撮影者に与える違和感を軽減することができる。重畳表示をしながら多重撮影を行い、ステップＳ３０４にて多重露光撮影を続けるか否かを選択する。続行の場合、ステップＳ３０１に戻り、レリーズＳＷを再び押下し多重露光撮影を続行する。多重露光撮影を続行しない場合、ステップＳ３０１〜ステップＳ３０４で撮影された画像は、ステップＳ３０５において不図示の記録メディアに保存される。
【００３７】
図５は、本発明の実施例１によるデジタルカメラの概略構成を示す電気ブロック図である。図５において、１０１は前述のＣＰＵ（中央演算処理装置）であり、その内部には不揮発性メモリであるＥＥＰＲＯＭ１０１ａが構成されている。また、ＣＰＵ１０１には、制御プログラムを記憶しているＲＯＭ（リードオンリーメモリ）１０２、ＲＡＭ（ランダムアクセスメモリ）１０３、データ格納手段１０４、画像処理部１０８、表示制御部１１１、レリーズＳＷ１１４、電源を供給するためのＤＣ／ＤＣコンバータ１１７がそれぞれ接続され、画像処理部１０８にはＣＣＤ制御部１０７、さらにＣＣＤ１０６が接続されている。ＣＣＤ１０６は、有効画素数約１０００万画素（３８８８×２５９２画素）を有している。
【００３８】
カメラの外装背面部、ファインダ内にそれぞれ設けられた外部表示部１１３、内部表示部１２４は、ＣＣＤ１０６にて撮像された画像を縦横各々間引き処理された画像を表示することのできるＴＦＴカラー液晶である。表示制御部１１１は、ＣＣＤ１０６にて撮像された静止画像、動画像の外部表示部１１３、内部表示部１２４への表示の駆動を行っている。モータ制御部１２５は、ＣＰＵ１０１の指示を受けてミラー駆動を始め、カメラ内部の複数のモータを制御している。また、ＤＣ／ＤＣコンバータ１１７には電池１１６から電源が供給されている。
【００３９】
ＣＰＵ１０１は、ＲＯＭ１０２内の制御プログラムに基づいて各種制御を行う。これらの制御の中には、画像処理部１０８から出力された撮影画像信号を読み込み、ＲＡＭ１０３へ転送を行う処理、同様に、ＲＡＭ１０３よりＬＣＤ制御部１１１へデータを転送する処理、また、画像データをＪＰＥＧ圧縮し、ファイル形式でデータ格納手段１０４へ格納する処理がある。動画データの場合も同様な処理を経て、ＭＯＶ形式のファイルに圧縮され、データ格納手段１０４へ格納される。
【００４０】
さらに、ＣＰＵ１０１は、ＣＣＤ１０６、ＣＣＤ制御部１０７、画像処理部１０８、ＬＣＤ制御部１１１などに対してデータ取り込み画素数やデジタル画像処理の変更指示を行う。
【００４１】
１１９は、前述の焦点検出用の一対のラインＣＣＤセンサを含んだ焦点検出制御部であり、ラインセンサから得た電圧をＡ／Ｄ変換し、ＣＰＵに送る。また、ＣＰＵ１０１の指示のもとに、焦点検出制御部１１９はラインセンサの蓄積時間とＡＧＣ（オートゲインコントロール）の制御も行う。
【００４２】
また、レリーズＳＷ１１４の操作に伴う撮影動作の指示、各素子への電源の供給をコントロールするための制御信号をＤＣ／ＤＣコンバータ１１７に対して出力する等の様々な処理もＣＰＵ１０１の制御の基に行われている。
【００４３】
ＲＡＭ１０３は、画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納手段１０４から読み出されたＪＰＥＧ圧縮画像データを一時的に格納するためのテンポラリバッファとして、または画像圧縮処理、解凍処理のための画像専用ワークエリアとして使用される。
【００４４】
ワークエリア１０３ｂは各種プログラムのためのワークエリアである。ＶＲＡＭ１０３ｃは表示部１１３へ表示する表示データを格納するＶＲＡＭとして使用される。また、一時退避エリア１０３ｄは各種データを一時退避させるためのエリアである。
【００４５】
データ格納手段１０４は、ＣＰＵ１０１によりＪＰＥＧ圧縮された撮影画像データ、あるいはＭＯＶ形式動画像データをファイル形式で格納しておくためのフラッシュメモリである。ＣＣＤ１０６は、ＣＰＵ１０１からの解像度変換指示に従って、水平方向および垂直方向の間引き画素データの出力が可能である。
【００４６】
ＣＣＤ制御部１０７は、ＣＣＤ１０６に転送クロック信号やシャッタ信号を供給するためのタイミングジェネレータ、ＣＣＤ出力信号のノイズ除去、ゲイン処理を行うための回路、さらに、アナログ信号を１０ビットデジタル信号に変換するためのＡ／Ｄ変換回路を有しており、さらには外部表示部１１３、内部表示部１２４にライブビュー表示、および動画撮影を行うために、ＣＰＵ１０１からの解像度変換指示に従って、画素間引き処理を行うための回路等を含んでいる。
【００４７】
また、画像処理部１０８は、ＣＣＤ制御部１０７より出力された１０ビットデジタル信号をガンマ変換、色空間変換、また、ホワイトバランス、ＡＥ、フラッシュ補正等の画像処理を行い、ＹＵＶ（４：２：２）フォーマットの８ビットデジタル信号出力を行うものである。これら撮影レンズ１０５、ＣＣＤ１０６、ＣＣＤ制御部１０７、画像処理部１０８から撮像手段が構成されている。表示制御部１１１は、画像処理部１０８から転送されたＹＵＶデジタル画像データ、あるいはデータ格納手段１０４の画像ファイルに対してＪＰＥＧの解凍を行ったＹＵＶデジタル画像データを受け取り、ＲＧＢデジタル信号へ変換した後、外部表示部１１３、あるいは内部表示部１２４へ出力する処理を行う。
【００４８】
レリーズＳＷ１１４は、撮影動作の開始を指示するためのものである。このレリーズＳＷ１１４は不図示のカメラ操作部材であるレリーズボタンの押下圧によって２段階のスイッチポジションを有しており、１段目のポジション（ＳＷ１  ＯＮ）の検出で、ホワイトバランス、測光等のカメラ設定のロック動作が行われ、２段目のポジション（ＳＷ２  ＯＮ）の検出で、被写体画像信号の取り込み動作が行われる。
【００４９】
測光制御部１３２は、ＣＰＵ１０１の指示に従って、ＣＣＤからなる測光センサ１３０を駆動制御し、被写体輝度信号を取り込み、ＣＰＵ１０１にデータを送る。基本的な測光動作としては、測光センサ１３０の受光面の画素において発生した輝度信号はＣＰＵ１０１にて各々Ａ／Ｄ変換が行われ、各々８ビットのデジタル信号となる。これに撮影レンズの明るさを示すＦｎｏ．（実効Ｆｎｏ．）の値の補正、センサ出力信号のバラツキ補正（レベル・ゲインの調整）、さらには撮影レンズ１０５から送られてくる情報等から測光補正が行われ、最終的に被写界輝度信号値を得ることができる。
【００５０】
これらの情報に基づいてカメラの最適露出演算が行われ、カメラのシャッタスピード、撮影レンズの絞りを最適に制御することで最適な露光を得ることができる。また、前述の通り、測光センサ１３０は露出制御のみならず、測光センサ１３０が出力する多数の被写界輝度信号、色信号に基づいて、ＣＰＵ１０１の演算処理によって被写体検出、ひいては撮影シーン判別が可能である。また、１１６はリチャージャブルの２次電池あるいは乾電池であり、ＤＣ／ＤＣコンバータ１１７は、電池１１６からの電源供給を受け、昇圧、レギュレーションを行うことにより複数の電源を作り出し、ＣＰＵ１０１を初めとする各素子に必要な電圧の電源を供給している。このＤＣ／ＤＣコンバータ１１７は、ＣＰＵ１０１からの制御信号により、各々の電圧供給の開始、停止を制御できるようになっている。
【００５１】
以上、本発明の好ましい実施形態について説明したが、本発明はこれらの実施形態に限定されず、その要旨の範囲内で種々の変形及び変更が可能である。
【符号の説明】
【００５２】
１０１  ＣＰＵ、１０５  撮影レンズ、１０６  ＣＣＤ、  １１９  焦点検出手段、
１２０  ピント板（焦点検出板）、    １２１  接眼レンズ、１２３  主ミラー、
１２４  内部表示部（ディスプレイパネル）、１２６  表示プリズム１、
１２７  表示プリズム２、１２８  ペンタプリズム、１３０  測光センサ
【図３】
2015233256.tif 000003
【図５】
2015233256.tif 000004
【図１】
2015233256.tif 000005
【図２】
2015233256.tif 000006
【図４】
2015233256.tif 000007